(57)【特許請求の範囲】
【請求項１】
電話回線とＩＰネットワークとを接続する、複数の通信用ポートを備えた通信装置において、
前記複数の通信用ポート間でデータを中継する中継手段を有し、
前記中継手段は、
前記複数の通信用ポート間で、宛先に応じてデータを中継する第１の動作モードと、
前記ＩＰネットワークとの間でデータを送受信する第１の通信用ポートとのデータ中継をやめて、前記第１の通信用ポート以外の通信用ポートからのデータを宛先に応じて前記第１の通信用ポート以外のいずれかのポートに中継するとともに、当該データの複製を、データを監視する監視端末と接続される第２のポートへ出力する第２の動作モードと、を有することを特徴とする通信装置。
【請求項２】
請求項１に記載の通信装置であって、
前記第２のポートへの前記監視端末の接続を検出する検出手段をさらに有し、
前記中継手段は、前記検出手段により前記第２のポートへの監視端末の接続が検出された場合に、前記第１の動作モードから前記第２の動作モードへ移行することを特徴とする通信装置。
【請求項３】
請求項２に記載の通信装置であって、
前記第２の動作モードへ移行した後、前記中継手段は、前記検出手段により前記第２のポートに前記監視端末が接続されていないことを通知されると、前記第２の動作モードから前記第１の動作モードへ移行することを特徴とする通信装置。
【請求項４】
請求項３に記載の通信装置であって、
電話回線をＩＰ網に接続する中継装置との間でデータを送受信する第３の通信用ポートと、
ＩＰ電話の主制御装置との間でデータを送受信する第４の通信用ポートと、を有することを特徴とする通信装置。
【請求項５】
請求項３に記載の通信装置であって、
前記第１の通信用ポートはＩＰ電話システム以外のネットワークシステムも混在するＩＰネットワークとの間でデータを送受信する通信用ポートであり、
ＩＰ電話システムだけを含むＩＰネットワークとの間でデータを送受信する第４の通信用ポートを備え、
前記中継手段は、前記第２の動作モードで、前記第４の通信用ポートとの間でもデータの中継を行なうことを特徴とする通信装置。
【請求項６】
請求項３に記載の通信装置であって、
前記中継手段はレイヤ２スイッチであることを特徴とする通信装置。
【発明の詳細な説明】
【技術分野】
【０００１】
本発明は、動作検証に利用可能な監視用ポートを備えた通信装置に関する。
【背景技術】
【０００２】
特許文献１には、ＩＰ交換機や回線に障害が発生しても、拠点内をバックアップしてＩＰ電話端末の動作を継続して運用できる技術が開示されている。この技術では、ＩＰ交換機や回線に障害が発生した場合に、バックアップ交換機が待機系から運用系に切り替わり、各拠点内の全てのＩＰ電話端末が、ＩＰ交換機からログアウトし、それぞれ自拠点内のバックアップ交換機にログインする。これにより、各ＩＰ電話端末は、自拠点内のバックアップ交換機の制御により、自拠点内の内線通話が可能となる。
【特許文献１】特開２００６−２５４０９６号公報
【発明の開示】
【発明が解決しようとする課題】
【０００３】
ところで、特許文献１に記載のようなＩＰ電話システムは、通常、他のネットワークシステム（例えばデータ検索システム）と同じＩＰネットワーク上に構築される。このため、ＩＰ電話システムの動作検証のために、ＩＰネットワーク上の集線装置（例えばハブ）を流れるデータを監視しようとすると、ＩＰ電話システム以外のネットワークシステムのデータも監視できてしまう。したがって、ＩＰネットワークの利用者が、ＩＰ電話システムの保守業者によるＩＰ電話システムの動作検証をセキュリティの問題から拒否することも考えられる。この場合、ＩＰ電話システムに発生した障害等の原因究明が難しくなる。
【０００４】
本発明は、上記事情に鑑みてなされたものであり、本発明の目的は、他のネットワークシステムのデータを見せることなく、このネットワークシステムと同じＩＰネットワーク上に構築されたネットワークシステムの動作検証を可能とする技術を提供することにある。
【課題を解決するための手段】
【０００５】
上記課題を解決するために、本発明では、通信装置に複数の通信用ポート間を中継する中継手段を設け、この中継手段を介して通信装置本体をＩＰネットワーク上の集線装置に接続させる。また、中継手段に予め設定登録されている所定の通信用ポート（監視用ポート）を設け、通信用ポートに入力されたデータの複製データをこの監視用ポートから出力させる。
【０００６】
例えば、本発明は、複数の通信用ポートを備えた通信装置であって、
前記複数の通信用ポートの何れかに接続された通信装置本体と、
前記複数の通信用ポートの何れかにデータが入力された場合に、当該データの宛先に応じて定まる他の通信用ポートへ当該データを中継すると共に、当該データの複製データを所定の通信用ポートから出力する中継手段と、を有する。
【発明の効果】
【０００７】
本発明によれば、監視対象のネットワークシステムを構成する通信機器を通信装置本体として採用すると共に、ＩＰネットワーク上の集線装置を通信用ポートから切り離すことにより、監視用ポートからは、この監視対象のネットワークシステムのデータのみを監視できる。このため、他のネットワークシステムのデータを見せることなく、このネットワークシステムの動作検証が可能となる。
【発明を実施するための最良の形態】
【０００８】
以下、本発明の一実施の形態を説明する。
【０００９】
図１は、本発明の一実施の形態に係る通信装置３を含むＩＰ電話システムの構成を説明するための概略図である。
【００１０】
図示するように、ＩＰ電話システムは、メインＴＭ（テレフォニーマネージャ：主制御装置）１、複数のＩＰ−ＴＥＬ（ＩＰ電話機）２、および本実施の形態に係る通信装置３がＨＵＢ（集線装置）４に接続されて構成されている。なお、ＨＵＢ４には、データ検索システム等の他のネットワークシステムを構成する機器（サーバ、クライアント等）５も接続されている。
【００１１】
メインＴＭ１は、ＩＰ−ＴＥＬ２および後述する通信装置３のＴＵＭ３６の呼制御を担当するＩＰ交換機である。メインＴＭ１は、ＩＰ−ＴＥＬ２および後述するＴＵＭ３６との間で定期的にメッセージを送受信する疎通確認を行う。また、ログイン中のＩＰ−ＴＥＬ２、ＴＵＭ３６に対してＩＰ電話サービスを提供する。
【００１２】
ＩＰ−ＴＥＬ２は、メインＴＭ１との間で定期的にメッセージを送受信する疎通確認を行い、メインＴＭ１と疎通しているならば、メインＴＭ１にログインして、メインＴＭ１のＩＰ電話サービスを利用する。メインＴＭ１と疎通していないならば、後述する通信装置３のサブＴＭ３５と疎通確認を行い、サブＴＭ３５と疎通しているならば、サブＴＭ３５にログインして、サブＴＭ３５のＩＰ電話サービスを利用する。
【００１３】
そして、本実施の形態に係る通信装置３は、内線として動作可能なアナログ電話機、多機能電話機等（ＴＥＬ）６および公衆回線（ＰＳＴＮ）７をＩＰ電話システムに接続する集線装置としての機能、および、メインＴＭ１に障害等が発生した場合に呼制御を担当するバックアップＩＰ交換機としての機能を有する。さらに、通信装置３は、ＩＰ電話システムの動作検証のための監視用ポートを有し、この監視用ポートから、ＩＰ電話システムでやり取りされるデータの複製データを出力する。
【００１４】
図２は、通信装置３の概略構成図である。
【００１５】
図示するように、通信装置３は、外部接続用ポート３１と、内部接続用ポート３２と、監視用ポート３３と、Ｌ２ＳＷ部３４と、サブＴＭ３５と、ＴＵＭ（テレフォニーユニット：中継装置）３６と、接続検出部３７と、を有する。
【００１６】
ここで、外部接続用ポート３１を複数設けているが、外部接続用ポート３１は、ＨＵＢ４の接続用に少なくとも一つあればよい。また、ここでは、内部接続用ポート３２を二つ設け、一方の内部接続用ポート３２にサブＴＭ３５を接続し、他方の内部接続用ポート３２にＴＵＭ３６を接続しているが、内部接続用ポート３２は三つ以上または一つであってもよい。
【００１７】
サブＴＭ３５は、メインＴＭ１に障害が発生している場合に、ＩＰ−ＴＥＬ２およびＴＵＭ３６の呼制御を担当するバックアップＩＰ交換機である。サブＴＭ３５は、ＩＰ−ＴＥＬ２およびＴＵＭ３６との間で定期的にメッセージを送受信する疎通確認を行う。また、ログイン中のＩＰ−ＴＥＬ２、ＴＵＭ３６に対してＩＰ電話サービスを提供する。
【００１８】
ＴＵＭ３６は、ＴＥＬ６およびＰＳＴＮ７を収容し、メインＴＭ１あるいはサブＴＭ３５の制御のもとにＴＥＬ６およびＰＳＴＮ７をＩＰ−ＴＥＬ２に接続させる。ＴＵＭ３６は、メインＴＭ１との間で定期的にメッセージを送受信する疎通確認を行い、メインＴＭ１と疎通しているならば、メインＴＭ１にログインして、メインＴＭ１のＩＰ電話サービスを利用する。一方、メインＴＭ１と疎通していないならば、サブＴＭ３５と疎通確認を行い、サブＴＭ３５と疎通しているならば、サブＴＭ３５にログインして、サブＴＭ３５のＩＰ電話サービスを利用する。
【００１９】
Ｌ２ＳＷ部３４は、外部接続用ポート３１と内部接続用ポート３２との間を中継するレイヤ２スイッチである。ここで、Ｌ２ＳＷ部３４は、「通常モード」および「動作検証モード」の２つの動作モードを有する。
【００２０】
「通常モード」において、Ｌ２ＳＷ部３４は、外部接続用ポート３１および内部接続用ポート３２の何れかにデータが入力された場合に、このデータの宛先に応じて定まる何れかの外部接続用ポート３１あるいは内部接続用ポート３２に、このデータを中継する。
【００２１】
また、「動作検証モード」において、Ｌ２ＳＷ部３４は、予め設定登録してある外部接続用ポート３１の一つ、例えば、ＨＵＢ４が接続されている外部接続用ポート３１を無効にする。また、その他の外部接続用ポート３１および内部接続用ポート３２の何れかにデータが入力された場合に、このデータの宛先に応じて定まる何れかの外部接続用ポート３１あるいは内部接続用ポート３２に、このデータを中継すると共に、このデータの複製データを監視用ポート３３から出力する。
【００２２】
接続検出部３７は、監視用ポート３３の電圧等に基づいて監視用ポート３３への監視端末の接続状態を監視する。そして、監視用ポート３３に監視端末が接続されている場合は、Ｌ２ＳＷ部３４は「動作検証モード」で動作し、監視用ポート３３に監視端末が接続されていない場合は、Ｌ２ＳＷ部３４は「通常モード」で動作する。
【００２３】
図３は、通信装置３の接続検出部３７およびＬ２ＳＷ部３４の動作を説明するためのフロー図である。
【００２４】
接続検出部３７は、監視用ポート３３への監視端末の接続状態を監視して、監視結果をＬ２ＳＷ部３４に通知する（Ｓ１０）。
【００２５】
これを受けて、Ｌ２ＳＷ部３４は、接続検出部３７から受け取った監視結果が、監視用ポート３３に監視端末が接続されていないことを示している場合（Ｓ１１でＮＯ）、自身の動作モードを判断する。Ｌ２ＳＷ部３４は、自身の動作モードが「通常モード」でないならば（Ｓ１２でＮＯ）、自身の動作モードを「動作検証モード」から「通常モード」に移行させる（Ｓ１３）。「通常モード」において、Ｌ２ＳＷ部３４は、外部接続用ポート３１および内部接続用ポート３２の何れかにデータが入力されると、このデータを、その宛先に応じて定まる何れかの外部接続用ポート３１あるいは内部接続用ポート３２に中継する。
【００２６】
一方、Ｌ２ＳＷ部３４は、接続検出部３７から受け取った監視結果が、監視用ポート３３に監視端末が接続されていることを示している場合（Ｓ１１でＹＥＳ）、自身の動作モードを判断する。Ｌ２ＳＷ部３４は、自身の動作モードが「動作検証モード」でないならば（Ｓ１４でＮＯ）、自身の動作モードを「通常モード」から「動作検証モード」に移行させる（Ｓ１５）。「動作検証モード」において、Ｌ２ＳＷ部３４は、予め設定登録されている外部接続用ポート３１、例えば、ＨＵＢ４が接続されている外部接続用ポート３１を無効にするとともに、その他の外部接続用ポート３１および内部接続用ポート３２の何れかにデータが入力されると、このデータを、その宛先に応じて定まる何れかの外部接続用ポート３１あるいは内部接続用ポート３２に中継し、且つこのデータの複製データを監視用ポート３３から監視端末７（図５、６参照）へと出力する。
【００２７】
以上の動作によれば、Ｌ２ＳＷ部３４の動作モードの自動切替えにより、以下に示すように、ＨＵＢ４に接続されている通信サーバやクライアント等の他のネットワークシステムのデータを見せることなく、ＩＰ電話システムのみ動作検証が可能となる。
【００２８】
図４は、Ｌ２ＳＷ部３４の動作モードが「通常モード」の場合におけるＩＰ電話システムのデータの流れを示している。なお、図４においては、通信装置３の構成を簡略化して示してある（図５および図６においても同様）。
【００２９】
図示するように、Ｌ２ＳＷ部３４の動作モードが「通常モード」の場合、ＩＰ電話システムのデータ１００は、ＨＵＢ４を介して、ＩＰ電話システムを構成するメインＴＭ１、ＩＰ−ＴＥＬ２、および通信装置３間でやり取りされる。「通常モード」においては、ＨＵＢ４には、他のネットワークシステムのデータ１０１も流れており、このため、ＩＰ電話システムの動作検証のために、ＨＵＢ４を流れるデータを監視しようとすると、ＩＰ電話システム以外のネットワークシステムのデータ１０１も監視できてしまう。したがって、ＩＰネットワークの利用者が、ＩＰ電話システムの保守業者によるＩＰ電話システムの動作検証をセキュリティの問題から拒否することも考えられる。この場合、ＩＰ電話システムに発生した障害等の原因究明が難しくなる。
【００３０】
そこで、本実施の形態においては、監視用ポート３３への監視端末の接続により、Ｌ２ＳＷ部３４の動作モードを、ＩＰ電話システムのデータのみ監視可能な「動作検証モード」に自動的に切り替える。図５は、Ｌ２ＳＷ部３４の動作モードが「動作検証モード」の場合におけるＩＰ電話システムのデータの流れを示している。
【００３１】
図示するように、Ｌ２ＳＷ部３４の動作モードが「動作検証モード」の場合、Ｌ２ＳＷ部３４は、ＨＵＢ４と接続する外部接続用ポート３１を無効にする。このため、他のネットワークシステムのデータ１０１がＬ２ＳＷ部３４に流れ込むことはない。また、Ｌ２ＳＷ部３４は、サブＴＭ３５、ＴＵＭ３６から入力されたデータ１０２の複製データを監視用ポート３３に接続された監視端末７に送信する。このため、「動作検証モード」においては、監視端末７により、他のネットワークシステムのデータ１０１を監視することなく、ＩＰ電話システムを構成するサブＴＭ３５、ＴＵＭ３６のデータ１０２を監視することができる。
【００３２】
ここで、図６に示すように、ＩＰ−ＴＥＬ２、メインＴＭ１各々をＨＵＢ４から切り離し、通信装置３のその他の外部接続用ポート３１に接続することで、他のネットワークシステムのデータ１０１を監視することなく、ＩＰ電話システムを流れるデータ１０３を監視端末７で監視することが可能となる。また、外部接続用ポートを二つとし、一方をＨＵＢ４接続用、他方をＩＰ−ＴＥＬ２やメインＴＭ１を収容するＨＵＢ等の接続用としてもよい。
【００３３】
このように、本実施の形態の通信装置３によれば、ＨＵＢ４を外部接続用ポート３１から切り離すことにより、内部接続用ポート３２に接続されたサブＴＭ３５、又は、サブＴＭ３５、ＴＵＭ３６及びＩＰ−ＴＥＬ２のデータのみを監視できる。このため、他のネットワークシステムと通信装置３で形成されるＩＰ電話ネットワーク（ＩＰ電話システム）とを切り離すことが可能となり、監視用ポート３３においては、他のネットワークシステムのデータを見ることができなくなり、ＩＰ電話システムのみの動作検証が可能となる。これは、ネットワーク障害時にＩＰ電話システム単体での動作検証を行うことで、障害の切り分けが作業が容易になり、障害解決及び復旧が迅速に行えるようになるものである。
【００３４】
また、本実施の形態によれば、接続検出部３７により監視用ポート３３への監視端末７の接続を監視し、監視用ポート３３に監視端末７が接続されていないならば、「通常モード」でＬ２ＳＷ部３４が動作し、監視端末７が接続されているならば、「動作検証モード」でＬ２ＳＷ部３４が動作する。したがって、監視用ポート３３に監視端末７を接続するだけで、Ｌ２ＳＷ部３４の動作モードを「通常モード」から「動作検証モード」に切り替えることができ、動作検証作業を容易にすることができる。
【００３５】
なお、本発明は上記実施の形態に限定されるものではなく、その要旨の範囲内で数々の変形が可能である。
【００３６】
例えば、上記実施の形態では、通信装置３に接続検出部３７を設けているが、本発明はこれに限定されない。接続検出部３７を設ける代わりに、Ｌ２ＳＷ部３４の動作モード切替スイッチを通信装置３に設けるようにしてもよい。
【００３７】
また、上記実施の形態では、Ｌ２ＳＷ部３４を「通常モード」および「動作検証モード」のいずれかで動作させるようにしているが、本発明はこれに限定されない。Ｌ２ＳＷ部３４は、外部接続用ポート３１および内部接続用ポート３２の何れかにデータが入力された場合に、このデータの宛先に応じて定まる他の外部接続用ポート３１および内部接続用ポート３２へこのデータを中継すると共に、このデータの複製データを監視用ポート３３から出力するものであってもよい。この場合、ＨＵＢ４を外部接続用ポート３１から切り離してから（ＨＵＢ４と外部接続用ポート３１と間のケーブルを外してから）、監視用ポート３３に監視端末７を接続することで、この監視端末７により、他のネットワークシステムのデータ１０１を監視することなく、ＩＰ電話システムを構成するサブＴＭ３５、ＴＵＭ３６のデータ１０２、１０３を監視することができる。
【００３８】
また、上記実施の形態では、通信装置本体として、サブＴＭ３５およびＴＵＭ３６を通信装置３内に設け、内部接続用ポート３２を介して、これらをＬ２ＳＷ部３４に接続した場合を例にとり説明した。しかし、本発明はこれに限定されない。例えば、ＴＵＭ３６にＬ２ＳＷ部３４を備えた構成、又はメインＴＭ１にＬ２ＳＷ部３４を備えた構成、又はサブＴＭ３５にＬ２ＳＷ部３４を備えた構成、又はＩＰ−ＴＥＬ２にＬ２ＳＷ部３４を備えた構成とし、Ｌ２ＳＷ部３４の外部接続用ポートにＨＵＢ４、ＩＰ−ＴＥＬ２やメインＴＭ１等、自身と異なる装置とを収容してもよい。
【００３９】
また、上記実施の形態において、図２に示す通信装置３の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよい。あるいは、ＤＳＰ（Ｄｉｇｉｔａｌ  Ｓｉｇｎａｌ  Ｐｒｏｃｅｓｓｏｒ）によりソフト的に実行されるものでもよい。もしくは、ＣＰＵ、メモリ、ＨＤＤ、ＤＶＤ−ＲＯＭ等の補助記憶装置、モデム、およびＮＩＣ（Ｎｅｔｗｏｒｋ  Ｉｎｔｅｒｆａｃｅ  Ｃａｒｄ）を備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【図面の簡単な説明】
【００４０】
【図１】図１は、本発明の一実施の形態に係る通信装置を含むＩＰ電話システムの構成を説明するための概略図である。
【図２】図２は、通信装置３の概略構成図である。
【図３】図３は、通信装置３の接続検出部３７およびＬ２ＳＷ部３４の動作を説明するためのフロー図である。
【図４】図４は、Ｌ２ＳＷ部３４の動作モードが「通常モード」の場合におけるＩＰ電話システムのデータの流れを示す図である。
【図５】図５は、Ｌ２ＳＷ部３４の動作モードが「動作検証モード」の場合におけるＩＰ電話システムのデータの流れを示す図である。
【図６】図６は、Ｌ２ＳＷ部３４の動作モードが「動作検証モード」の場合におけるＩＰ電話システムのデータの流れの変形例を示す図である。
【符号の説明】
【００４１】
１：メインＴＭ、２：ＩＰ−ＴＥＬ、３：通信装置、４：ＨＵＢ、５：機器、６：ＴＥＬ、７：ＰＳＴＮ、３１：外部接続用ポート、３２：内部接続用ポート、３３：監視用ポート、３４：Ｌ２ＳＷ部、３５：サブＴＭ、３６：ＴＵＭ、３７：接続検出部
【図１】
0005112165.tif 000002
【図２】
0005112165.tif 000003
【図３】
0005112165.tif 000004
【図４】
0005112165.tif 000005
【図５】
0005112165.tif 000006
【図６】
0005112165.tif 000007